【手続補正書】
【提出日】平成23年5月2日(2011.5.2)
【手続補正１】
【補正対象書類名】特許請求の範囲
【補正対象項目名】全文
【補正方法】変更
【補正の内容】
【特許請求の範囲】
【請求項１】
使用時に、コンテント要求に応答して生成されるコンテンツを受信するデータ強化モジュールを具備し、
前記データ強化モジュールは、
コンテンツを提示する前に、データ構造定義に従って編成される場所インポートデータを該コンテンツに埋め込む
ことを特徴とする場所データ処理装置。
【請求項２】
前記データ強化モジュールは、
前記コンテンツを解析するとともに、前記コンテンツ内の候補場所情報を識別し、前記候補場所情報から前記場所インポートデータを生成する
ことを特徴とする請求項１記載の装置。
【請求項３】
前記データ強化モジュールは、
前記データ構造定義の複数のフィールドに対応するデータを前記候補場所情報から抽出し、前記データ構造定義に従って前記抽出したデータを編成する
ことを特徴とする請求項２記載の装置。
【請求項４】
前記場所インポートデータの少なくとも一部は、統一資源識別子（ＵＲＩ）として符号化される
ことを特徴とする請求項１から３のいずれか１項に記載の装置。
【請求項５】
前記データ構造定義は、
サーバのアプリケーション・プログラミング・インタフェース（ＡＰＩ）に適合する
ことを特徴とする請求項１から４のいずれか１項に記載の装置。
【請求項６】
前記データ強化モジュールは、
ナビゲーション装置にインポート可能であり且つコンテンツ内に示される地理的場所に関連する場所情報の存在を視覚的に示すオブジェクトを前記場所インポートデータに関連する前記コンテンツに埋め込む
ことを特徴とする請求項１から５のいずれか１項に記載の装置。
【請求項７】
前記場所インポートデータは、
デバイス管理アプリケーション、ナビゲーション装置の少なくともいずれかのインポート処理と互換性がある
ことを特徴とする請求項１から６のいずれか１項に記載の装置。
【請求項８】
前記場所インポートデータは、
要求／応答通信プロトコルに従った要求を含む
ことを特徴とする請求項１記載の装置。
【請求項９】
請求項１から８のいずれか１項に記載の前記場所データ処理装置をサポートする処理リソースと、
前記コンテンツ要求をコンテンツサーバに通信する通信インタフェースと
を具備し、
前記処理リソースは、
前記コンテンツ要求に関連する情報を受信するためのユーザインタフェースをサポートする
ことを特徴とするクライアント端末装置。
【請求項１０】
前記コンテンツ要求に関連する前記情報を収集するためのデータ収集インタフェースを提供する前記ユーザインタフェースによりサポートされるブラウザアプリケーション
を更に具備し、
前記ブラウザアプリケーションは、
前記データ強化モジュールによる変更として前記受信コンテンツを提示する
ことを特徴とする請求項９記載の装置。
【請求項１１】
前記データ強化モジュールは、ブラウザプラグインである
ことを特徴とする請求項１から１０のいずれか１項に記載の装置。
【請求項１２】
前記データ強化モジュールは、
入力デバイスを介して地理的場所に関連する前記受信コンテンツの少なくとも一部を識別する識別情報を受信するとともに、前記識別情報の前記提供に応答して、前記受信コンテンツの前記一部に関して前記場所インポートデータを生成する
ことを特徴とする請求項１０又は１１記載の装置。
【請求項１３】
外部接続可能なナビゲーションデバイスを管理するとともに、使用時に、前記コンテンツ要求に関連する前記情報を収集するためのデータ収集インタフェースを提供するデバイス管理アプリケーション
を更に具備し、
前記デバイス管理アプリケーションは、
前記データ強化モジュールによる変更として前記受信コンテンツを提示する
ことを特徴とする請求項１から９のいずれか１項に記載の装置。
【請求項１４】
前記デバイス管理アプリケーションは、
ナビゲーションデバイスが前記クライアント端末装置に結合されているかを判定する
ことを特徴とする請求項１３記載の装置。
【請求項１５】
前記デバイス管理アプリケーションは、
前記ナビゲーションデバイスが前記クライアント端末装置に結合されていると検出されるのに応答して、前記場所インポートデータの少なくとも一部を前記ナビゲーションデバイスにインポートする
ことを特徴とする請求項１４記載の装置。
【請求項１６】
前記デバイス管理アプリケーションは、
前記ナビゲーションデバイスが前記クライアント端末装置から切断されていると検出されるのに応答して、後で前記ナビゲーションデバイスにインポートするために前記場所インポートデータの少なくとも一部をキューに入れる
ことを特徴とする請求項１４記載の装置。
【請求項１７】
使用時に、前記コンテンツ要求に関連する前記情報を収集するためのデータ収集インタフェースを提供するナビゲーション装置のナビゲーション・アプリケーション
を更に具備し、
前記ナビゲーション・アプリケーションは、
前記データ強化モジュールによる変更として前記受信コンテンツを提示する
ことを特徴とする請求項１から９のいずれか１項に記載の装置。
【請求項１８】
前記処理リソースは、
前記ユーザインタフェースを介して複数の地理的場所を提示し、ユーザが地点情報セットを指示するために前記複数の地理的場所のうち２つ以上を選択できるようにする
ことを特徴とする請求項９記載の装置。
【請求項１９】
前記場所インポートデータは、
インポートするために前記クライアント端末装置により使用可能な別のデータ構造定義に従って編成されるインポート可能な形式に前記場所インポートデータを変換するためのサーバを識別する
ことを特徴とする請求項１から６、９、１８のいずれか１項に記載の装置。
【請求項２０】
前記処理リソースは、
処理及びその後に前記地点情報セットに対応する前記場所インポートデータを受信するために前記複数の地理的場所のうち選択された２つ以上の地理的場所を前記サーバに通信する
ことを特徴とする請求項１９記載の装置。
【請求項２１】
請求項９に従属する場合に、前記場所インポートデータは、
前記場所インポートデータの選択に応答してブラウザアプリケーションが開始ページを開くように構成される
ことを特徴とする請求項１９記載の装置。
【請求項２２】
前記処理リソースは、前記場所インポートデータのユーザ選択に応答して要求をサーバに通信し、
前記要求は、前記ナビゲーション装置にインポートするために前記サーバからナビゲーション装置に前記場所インポートデータの少なくとも一部に対応する情報を無線通信するための要求を示す
ことを特徴とする請求項９記載の装置。
【請求項２３】
ナビゲーション装置に場所情報をインポートする方法であって、
クライアント端末からサーバにコンテンツに対する要求を通信するステップと、
地理的場所に対応する候補場所情報を含む前記コンテンツに対する前記要求を処理するためにデータにアクセスしデータを処理するステップと、
前記候補場所情報に関連し、データ構造定義に従って編成される場所インポートデータを生成するステップと、
前記コンテンツに前記場所インポートデータを埋め込むステップと
を含むことを特徴とする方法。
【請求項２４】
請求項２３に記載の方法をコンピュータに実行させるコンピュータプログラム。
【請求項２５】
コンピュータ可読媒体に含まれる
ことを特徴とする請求項２４記載のコンピュータプログラム。